(57)【要約】      （修正有）【課題】孔版印刷装置において、孔版原紙の排版を確実に行う。【解決手段】孔版印刷装置は、感熱穿孔が行われた孔版原紙が巻き付けられるドラムと、前記ドラムに対し前記孔版原紙の一端を固定するクランプ部と、前記クランプ部により前記ドラムに対し固定された前記孔版原紙を固定状態から解放するための解放動作を行う解放手段と、前記解放動作を複数回行うように前記解放手段を制御（ステップＳ６）する制御部と、を備える。【選択図】図６
2019064041.tif 000002
【特許請求の範囲】
【請求項１】
感熱穿孔が行われた孔版原紙が巻き付けられるドラムと、
前記ドラムに対し前記孔版原紙の一端を固定するクランプ部と、
前記クランプ部により前記ドラムに対し固定された前記孔版原紙を固定状態から解放するための解放動作を行う解放手段と、
前記解放動作を複数回行うように前記解放手段を制御する制御部と、
を備えることを特徴とする孔版印刷装置。
【請求項２】
前記孔版原紙に前記感熱穿孔を行う製版部を更に備え、
前記制御部は、前記製版部による前記感熱穿孔の開始から前記クランプ部が前記ドラムに対し前記孔版原紙の前記一端を固定するまでのいずれかの段階からの経過時間に基づき、前記解放動作を行う回数を増やすように前記解放手段を制御する、
ことを特徴とする請求項１記載の孔版印刷装置。
【請求項３】
前記制御部は、前記経過時間が、前記ドラムに収容されるインクの種類及び当該インクの環境の少なくとも一方に応じて決定される所定の閾値以上であるか否かに基づき、前記解放動作を行う回数を変更して前記解放手段を制御する、
ことを特徴とする請求項２記載の孔版印刷装置。
【発明の詳細な説明】
【技術分野】
【０００１】
本発明は、孔版原紙をドラムに巻き付けて印刷を行う孔版印刷装置に関する。
【背景技術】
【０００２】
従来、孔版印刷装置において、孔版原紙がドラムに巻き付けられた状態で長時間放置されると、ドラムに収容されるインクのオイル分がクランプ片まで侵入し、このオイル分の粘着力によって孔版原紙がクランプ片に固着する。そのため、孔版原紙をドラムから剥がす動作である排版が困難になるという問題があった。
【０００３】
そこで、孔版原紙がドラムに巻き付けられてからの経過時間に応じて、クランプ片を大きく開かせるように制御を行う孔版印刷装置が提案されている（例えば、特許文献１参照）。
【先行技術文献】
【特許文献】
【０００４】
【特許文献１】特開２０１２−２４０２３９号公報
【発明の概要】
【発明が解決しようとする課題】
【０００５】
しかしながら、孔版原紙がクランプ片に強固に固着していると、上述のようにクランプ片が大きく開くだけでは、孔版原紙がクランプ片から剥がれないことがある。また、クランプ片が大きく開くだけでは、孔版原紙がドラムの外周面から剥がれないこともある。そのため、クランプ片が大きく開くだけでは、排版を確実に行うことができない場合があった。
【０００６】
本発明は、孔版原紙の排版を確実に行うことができる孔版印刷装置を提供することである。
【課題を解決するための手段】
【０００７】
１つの態様では、孔版印刷装置は、感熱穿孔が行われた孔版原紙が巻き付けられるドラムと、前記ドラムに対し前記孔版原紙の一端を固定するクランプ部と、前記クランプ部により前記ドラムに対し固定された前記孔版原紙を固定状態から解放するための解放動作を行う解放手段と、前記解放動作を複数回行うように前記解放手段を制御する制御部と、を備える。
【発明の効果】
【０００８】
前記態様によれば、ドラムからの孔版原紙の排版を確実に行うことができる。
【図面の簡単な説明】
【０００９】
【図１】一実施の形態に係る孔版印刷装置を示す構成図である。
【図２】一実施の形態に係る孔版印刷装置の制御構成を示すブロック図である。
【図３】一実施の形態における解放動作を説明するための斜視図（その１）である。
【図４】一実施の形態における解放動作を説明するための斜視図（その２）である。
【図５】一実施の形態における解放動作を説明するための斜視図（その３）である。
【図６】一実施の形態に係る孔版印刷装置の動作を説明するためのフローチャートである。
【発明を実施するための形態】
【００１０】
以下、本発明の実施の形態に係る排版装置について、図面を参照しながら説明する。
図１は、一実施の形態に係る孔版印刷装置１を示す構成図である。
【００１１】
図２は、孔版印刷装置１の制御構成を示すブロック図である。
図１に示すように、孔版印刷装置１は、装置筐体２と、操作パネル部３と、原稿読取部４と、給紙部５と、排紙部６と、排版部７と、印刷部１０と、制御部２０と、製版部３０と、カム駆動部４０と、を備える。また、図２に示すように、孔版印刷装置１は、ＲＯＭ（Read only memory）５１と、ＲＡＭ（Random Access Memory）５２と、タイマ５３と、を更に備える。
【００１２】
装置筐体２の上部には、操作パネル部３及び原稿読取部４が配置されている。
操作パネル部３は、孔版印刷装置１の各種操作を行うための操作キーなどを有し、孔版印刷装置１の入力部として機能する。
【００１３】
原稿読取部４は、原稿から画像情報を読み取るスキャナを有する。
給紙部５は、図１に二点鎖線で示す用紙Ｓが積層される給紙台、用紙Ｓを印刷部１０に搬送する搬送部等を有する。
【００１４】
排紙部６は、印刷部１０から搬送される印刷済みの用紙Ｓが積層される排紙台を有する。
【００１５】
排版部７は、印刷部１０において使用された孔版原紙（マスタ）Ｍを収容する。
印刷部１０は、ドラム１１と、中心軸１２と、エンコーダ１３と、ドラムモータ１４と、クランプ部１５と、跳ね上げ部１６と、プレスローラ１７と、剥離爪１８と、を有する。
【００１６】
ドラム１１は、孔版原紙Ｍ及び用紙Ｓの幅方向に平行な中心軸１２を中心とした円筒状を呈する。ドラム１１の外周面には、多数の孔が形成されている。また、ドラム１１の外周面には、後述する製版部３０のサーマルヘッド３２によって感熱穿孔が行われた孔版原紙Ｍが巻き付けられる。
【００１７】
中心軸１２には、インクＩＫを挿入するためのインク挿入口１２ａが形成されている。インクＩＫは、ドラム１１の外周面に形成された上記の多数の孔から滲み出る。
【００１８】
エンコーダ１３は、ドラムモータ１４に取り付けられている。
ドラムモータ１４は、中心軸１２を中心に図１における反時計回りにドラム１１を回転させる。
【００１９】
クランプ部１５は、ドラム１１に設けられており、孔版原紙Ｍの先端をクランプすることでドラム１１に対し孔版原紙Ｍの一端を固定する。なお、クランプ部１５は、後述するカム駆動部４０の駆動によって、孔版原紙Ｍの先端をクランプする閉じた状態と孔版原紙Ｍを解放する開いた状態とに開閉する。
【００２０】
跳ね上げ部１６は、ドラム１１に設けられており、カム駆動部４０とともに、クランプ部１５によってドラム１１に対し固定された孔版原紙Ｍを固定状態から解放するための解放動作を行う解放手段として機能する。なお、この解放手段としては、孔版原紙Ｍを固定状態から解放するための解放動作を行うものであれば、カム駆動部４０及び跳ね上げ部１６を用いた構成に限られない。
【００２１】
また、孔版印刷装置１の他の構成、例えば印刷部１０の構成も本実施の形態で説明するものは一例にすぎず、孔版印刷装置１としては、感熱穿孔が行われた孔版原紙Ｍが巻き付けられるドラム１１と、このドラム１１に対し孔版原紙Ｍの一端を固定するクランプ部１５と、このクランプ部１５によりドラム１１に対し固定された孔版原紙Ｍを固定状態から解放するための解放動作を行う解放手段と、この解放動作を複数回行うように解放手段を制御する制御部２０と、を備えるものであれば適宜変更可能である。例えば、孔版印刷装置１が両面印刷を行う孔版印刷装置１である場合には、２つのドラム１１が配置され、少なくとも一方のドラム１１において、本実施の形態における孔版原紙Ｍの複数回の解放動作が行われればよい。また、制御部２０としては、解放動作を複数回行うように解放手段を制御することが可能であれば、解放動作を１回行うように解放手段を制御する場合があってもよいことはもちろんである。
【００２２】
図３〜図５は、本実施の形態における解放動作を説明するための斜視図である。
図３は、クランプ部１５が孔版原紙Ｍをクランプした状態（固定状態）の初期状態を示し、図４は、クランプ移動カム４１が回動した状態を示し、図５は、孔版原紙Ｍが固定状態から解放された状態（解放状態）を示す。
【００２３】
図１に示すカム駆動部４０は、図３〜図５に示すように、クランプ移動カム４１と、クランプ移動カム検出センサ４２と、クランプカム検出センサ４３と、被検出部４４と、クランプカム４５と、を有する。また、カム駆動部４０は、図２に示すクランプモータ４６を更に有する。
【００２４】
図３に示すように、上述のクランプ部１５は、平板状に成形された押さえ部１５ａを有しており、押さえ部１５ａが孔版原紙Ｍをドラム１１の外周面に押さえつけることにより、孔版原紙Ｍをドラム１１に対し固定（着版）する。この孔版原紙Ｍの固定状態において、押さえ部１５ａはドラム１１の外周面に設けられた図示しないマグネットに磁力で固定されている。なお、跳ね上げ部１６は、クランプ部１５との間で孔版原紙Ｍを挟み込むように配置されている。
【００２５】
クランプカム４５は、回転軸Ｐ１を中心に回動するように支持されている。例えば透過型フォトセンサであるクランプカム検出センサ４３は、回転軸Ｐ１を中心に回動したクランプカム４５の位置を検出する。
【００２６】
クランプ移動カム４１は、回転軸Ｐ２を中心に回動するように支持されている。また、例えば透過型フォトセンサであるクランプ移動カム検出センサ４２は、回転軸Ｐ１を中心に回動したクランプ移動カム４１の位置を、クランプ移動カム４１と一体に回動する被検出部４４を検出することによって検出する。
【００２７】
図２に示すクランプモータ４６の回転駆動により、図４に示すように、クランプ移動カム４１は回転軸Ｐ２を中心に回動し、クランプ部１５を押し下げる。
【００２８】
そして、図５に示すように、さらに、クランプ移動カム４１が回転軸Ｐ２を中心に回動して、クランプ部１５を押し下げると、それに伴い、ドラム１１側に押さえつけられた押さえ部１５ａが、Ｆ１方向に跳ね上げられ、跳ね上げ部１６がＦ２方向に跳ね上げられる。
【００２９】
これにより、使用済みの孔版原紙Ｍは、クランプ部１５から解放（排版）され、後述する排版部７によって、ドラム１１から引き剥がされ、収容される。このように、跳ね上げ部１６及びカム駆動部４０は、ドラム１１に対し固定（着版）された孔版原紙Ｍを固定状態から解放（排版）するための解放動作を行う。
【００３０】
図１に戻り、プレスローラ１７は、ドラム１１の下方に設けられ、ドラム１１に巻き付けられてドラム１１とともに回転する孔版原紙Ｍに用紙Ｓを押し付ける。
【００３１】
剥離爪１８は、ドラム１１の下方に設けられ、印刷部１０において印刷された用紙Ｓを孔版原紙Ｍ（ドラム１１）から剥離する。
【００３２】
制御部２０は、孔版印刷装置１全体の動作を制御する演算処理装置として機能するプロセッサ（例えばＣＰＵ： Central Processing Unit）を有する。制御部２０は、孔版印刷装置１用の制御プログラムを読み出して実行する。
【００３３】
製版部３０は、原紙収容部３１と、サーマルヘッド３２と、プラテンローラ３３と、原紙送りローラ３４と、原紙カッタ３５と、を有する。
【００３４】
原紙収容部３１は、ロール状に巻かれた孔版原紙Ｍを収容する。
サーマルヘッド３２は、孔版原紙Ｍに対して例えば原稿読取部４から得られる画像情報に基づき感熱穿孔を行う。
【００３５】
プラテンローラ３３は、サーマルヘッド３２との間で孔版原紙Ｍを挟持する。
原紙送りローラ３４は、感熱穿孔が行われた孔版原紙Ｍを搬送する。
【００３６】
原紙カッタ３５は、原紙送りローラ３４により搬送される孔版原紙Ｍを１版ごとに切断する。原紙カッタ３５によって切断された１版分の孔版原紙Ｍは、上述のドラム１１に巻き付けられるように図示しない搬送手段によって搬送される。
【００３７】
図２に示すＲＯＭ５１は、例えば、所定の制御プログラムが予め記録されている読み出し専用半導体メモリである。なお、ＲＯＭ５１として、フラッシュメモリ等の、電力供給の停止に対して記憶データが不揮発性であるメモリを使用してもよい。
【００３８】
ＲＡＭ５２は、例えば、制御部２０が各種の制御プログラムを実行する際に必要に応じて作業用記憶領域として使用される随時書き込み読み出し可能な半導体メモリである。
【００３９】
制御部２０は、孔版原紙Ｍがドラム１１に巻き付けられた時刻をタイマ５３から取得し、例えばＲＡＭ５２に記憶させる。詳しくは後述するが、制御部２０は、孔版原紙Ｍがドラム１１に巻き付けられてからの経過時間に基づき、上述の解放動作を行う回数を変更してカム駆動部４０（及び跳ね上げ部１６）を制御するとよい。
【００４０】
なお、経過時間としては、孔版原紙Ｍがドラム１１に巻き付けられてからの経過時間に限らず、孔版原紙Ｍの感熱穿孔の開始（例えば、制御部２０が製版部３０の動作（搬送等）を開始させる処理を行うとき）からクランプ部１５がドラム１１に対し孔版原紙Ｍの一端を固定するまでのいずれかの段階からの経過時間であればよい。
【００４１】
図６は、孔版印刷装置１の動作を説明するためのフローチャートである。
図６に示す各処理（ステップＳ１〜Ｓ６）は、制御部２０の制御によって行われる。なお、上述の説明と重複する事項については適宜説明を省略する。
【００４２】
まず、制御部２０は、孔版原紙Ｍに感熱穿孔を行わせるように製版部３０を制御する（ステップＳ１）。
【００４３】
制御部２０は、クランプ部１５によって孔版原紙Ｍをクランプ（着版）するようにカム駆動部４０（クランプモータ４６）を制御する（ステップＳ２）。
【００４４】
制御部２０は、用紙Ｓに印刷を行わせるように、給紙部５及び印刷部１０を制御する（ステップＳ３）。
【００４５】
制御部２０は、上述の経過時間が閾値以上であるかを判定する（ステップＳ４）。経過時間が閾値未満である場合（ステップＳ４：ＮＯ）には、解放動作を１回のみ行うようにカム駆動部４０のクランプモータ４６を制御する（ステップＳ５）。一方、経過時間が閾値以上である場合（ステップＳ４：ＹＥＳ）には、解放動作を複数回行うようにカム駆動部４０のクランプモータ４６を制御する（ステップＳ６）。
【００４６】
解放動作の回数は、孔版原紙Ｍが着版された状態から排版を行うのを１回目として、１回目の排版を行った後に再度孔版原紙Ｍの着版を行い改めて２回目（又は３回目以降）の排版を行うようにしてよいが、１回目の排版を行った後に、着版までは行わずに例えばクランプ部１５を着版位置（閉じた位置）と排版位置（開いた位置）との間の位置まで移動させた後に改めて排版を行うことで、複数回の解放動作を行ってもよい。
【００４７】
また、上記の閾値は、一定であってもよいが、ドラム１１に収容されるインクＩＫの種類（例えば、成分や色）又はインクＩＫの環境（例えば、温度）に応じて例えば製版部３０による感熱穿孔の開始時に制御部２０が適宜決定してもよい。なお、閾値を複数設定し、経過時間が長くなるほど解放動作の回数を増やすようにしてもよい。
【００４８】
一例ではあるが、制御部２０は、インクＩＫを収容するカートリッジに設けられたＲＦＩＤタグに基づき、孔版原紙Ｍに浸透してクランプ部１５に侵入しやすい種類（例えばノーマル性能インク）であると判定した場合には、クランプ部１５に侵入しにくい種類（例えば高性能インク）よりも閾値を短くし、閾値に達するまでの経過時間を短くするとよい。また、制御部２０は、インクＩＫの色がクランプ部１５に侵入しやすい色（例えば黒色）であると判定した場合には、クランプ部１５に侵入しにくい色（例えば黒色以外）よりも閾値を短くし、閾値に達するまでの経過時間を短くするとよい。また、制御部２０は、インクＩＫ内に設けられたインク温度センサにより検出されるインクＩＫの温度が、クランプ部１５に侵入しやすくなる高温（所定温度以上）であると判定した場合には、クランプ部１５に侵入しにくい低温（所定温度未満）よりも閾値を短くし、閾値に達するまでの経過時間を短くするとよい。また、閾値は、例えば孔版原紙Ｍのサイズや材質によって変更してもよい。
【００４９】
なお、制御部２０は、インクの種類や環境或いは孔版原紙Ｍのサイズや材質に応じて解放動作の回数を増やしてもよい。また、制御部２０は、製版後に印刷が開始されずに経過時間が閾値以上となった場合には、印刷を行った後に或いは印刷処理を行わずに、上述の複数回の解放動作を行うとよい。
【００５０】
以上説明した本実施の形態では、孔版印刷装置１は、感熱穿孔が行われた孔版原紙Ｍが巻き付けられるドラム１１と、このドラム１１に対し孔版原紙Ｍの一端を固定するクランプ部１５と、このクランプ部１５によりドラム１１に対し固定された孔版原紙Ｍを固定状態から解放するための解放動作を行う解放手段（跳ね上げ部１６及びカム駆動部４０）と、この解放動作を複数回行うように解放手段を制御する制御部２０と、を備える。これにより、ドラム１１に収容されるインクＩＫのオイル分がクランプ部１５まで侵入し、このオイル分の粘着力によって孔版原紙Ｍがクランプ部１５やドラム１１の外周面に固着していても、複数回の解放動作によって、孔版原紙Ｍをクランプ部１５やドラム１１の外周面から剥がすことができる。よって、本実施の形態によれば、孔版原紙Ｍの排版を確実に行うことができる。
【００５１】
また、本実施の形態では、孔版印刷装置１は、孔版原紙Ｍに感熱穿孔を行う製版部３０を更に備え、制御部２０は、製版部３０による感熱穿孔の開始からクランプ部１５がドラム１１に対し孔版原紙Ｍの一端を固定するまでのいずれかの段階からの経過時間に基づき、解放動作を行う回数を増やすように解放手段（跳ね上げ部１６及びカム駆動部４０）を制御する。これにより、孔版原紙Ｍのクランプ部１５に対する固着が発生しやすくなる場合である、孔版原紙Ｍがドラム１１に巻き付けられた状態で長時間放置されている場合に、解放動作の回数を増やすことによって排版を確実に行うことができる。そのため、孔版原紙Ｍがクランプ部１５に固着しやすい場合にのみ解放動作の回数を増やすことによって、経過時間が短い場合には、孔版印刷装置１の動作時間すなわち印刷時間を、解放動作の回数を増やす場合よりも短縮することができる。
【００５２】
また、本実施の形態では、制御部２０は、経過時間が、ドラム１１に収容されるインクＩＫの種類及びインクＩＫの環境の少なくとも一方に応じて決定される所定の閾値以上であるか否かに基づき、解放動作を行う回数を変更して解放手段（跳ね上げ部１６及びカム駆動部４０）を制御する。これにより、孔版原紙Ｍの排版のしやすさに応じて解放動作の回数を変更することができるため、より有効に印刷時間を短縮することができる。
【００５３】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせてもよい。このような、発明の趣旨を逸脱しない範囲内において種々の変形や応用が可能であることはもちろんである。以下に、本願の出願当初の特許請求の範囲に記載された発明を付記する。
【００５４】
［付記１］
感熱穿孔が行われた孔版原紙が巻き付けられるドラムと、
前記ドラムに対し前記孔版原紙の一端を固定するクランプ部と、
前記クランプ部により前記ドラムに対し固定された前記孔版原紙を固定状態から解放するための解放動作を行う解放手段と、
前記解放動作を複数回行うように前記解放手段を制御する制御部と、
を備えることを特徴とする孔版印刷装置。
【００５５】
［付記２］
前記孔版原紙に前記感熱穿孔を行う製版部を更に備え、
前記制御部は、前記製版部による前記感熱穿孔の開始から前記クランプ部が前記ドラムに対し前記孔版原紙の前記一端を固定するまでのいずれかの段階からの経過時間に基づき、前記解放動作を行う回数を増やすように前記解放手段を制御する、
ことを特徴とする付記１記載の孔版印刷装置。
【００５６】
［付記３］
前記制御部は、前記経過時間が、前記ドラムに収容されるインクの種類及び当該インクの環境の少なくとも一方に応じて決定される所定の閾値以上であるか否かに基づき、前記解放動作を行う回数を変更して前記解放手段を制御する、
ことを特徴とする付記２記載の孔版印刷装置。
【符号の説明】
【００５７】
１      孔版印刷装置
２      装置筐体
３      操作パネル部
４      原稿読取部
５      給紙部
６      排紙部
７      排版部
１０      印刷部
１１      ドラム
１２      中心軸
１２ａ      インク挿入口
１３      エンコーダ
１４      ドラムモータ
１５      クランプ部
１５ａ      押さえ部
１６      跳ね上げ部
１７      プレスローラ
１８      剥離爪
２０      制御部
３０      製版部
３１      原紙収容部
３２      サーマルヘッド
３３      プラテンローラ
３４      原紙送りローラ
３５      原紙カッタ
４０      カム駆動部
４１      クランプ移動カム
４２      クランプ移動カム検出センサ
４３      クランプカム検出センサ
４４        被検出部
４５      クランプカム
４６      クランプモータ
５１      ＲＯＭ
５２      ＲＡＭ
５３      タイマ
Ｍ      孔版原紙（マスタ）
Ｓ      用紙
【図１】
2019064041.tif 000003
【図２】
2019064041.tif 000004
【図３】
2019064041.tif 000005
【図４】
2019064041.tif 000006
【図５】
2019064041.tif 000007
【図６】
2019064041.tif 000008